(57)【要約】      （修正有）【課題】被養生材に養生テープをきれいに貼ることができ、各種のサイズの被養生材に養生テープを貼ることができる養生テープ貼付機を提供する。【解決手段】本体フレーム１の上端にベルトコンベア３と握り部付きハンドル５を設置する。握り部付きハンドル５を回転すると、ベルトコンベア３のベルト車とゴムローラー６が回転する。ベルトコンベアの上に乗せられた被養生材がゴムローラー６の下まで運ばれると同時に、養生テープ８がゴムローラー６の下に引っ張り出され、前記被養生材の上に養生テープ８がゴムローラー６によって圧着される。ゴムローラーはスチールローラーに支えられる。ハンドルを止めると、ベルトコンベアが止まり、カッターナイフで養生テープを切り取る。【選択図】図１
0003153060.tif 000002
【実用新案登録請求の範囲】
【請求項１】
本体フレームの上端にベルトコンベアを設置し、本体フレームの上端に取付けた握り部付きハンドルを回転すると、ハンドルの軸に連動するベルトコンベアのベルト車が回転して、ベルトコンベアが動きだし、ベルトコンベアに接しているゴムローラーも回転し、ベルトコンベアの上に乗せられた被養生材がゴムローラーの下まで運ばれると同時に、養生テープ巻物から出てくる養生テープがゴムローラーの下に引っ張り出され、前記被養生材の上に養生テープがゴムローラーによって圧着され、ゴムローラーがベルトコンベアと接する位置で、ベルトコンベアの上ベルトを挟んでスチールローラーが設置されており、ゴムローラーの軸を挟むように形成された固定板を本体フレームの左右上端に固定し、ゴムローラーの軸両端に吊り金具を取付け、吊り金具にコイルスプリングの上端を掛け、固定板の下部に設けた掛け金具にコイルスプリングの下端を掛け、ゴムローラーの軸両端の下部は固定板と少し離れていて、ゴムローラーはスチールローラーに支えられおり、さらに、養生テープを貼付した被養生材は先へ運ばれた後、ハンドルを止めると、ベルトコンベアが止まり、カッターナイフで養生テープを切り取り、養生テープ付被養生材が出来上がるようにしたことを特徴とする養生テープ貼付機。
【請求項２】
養生テープ貼付機において使用するカッターナイフについて、ベルトコンベアのベルトに刃が接することなく、刃は刃カバー部下面より少し浮かし、カッターナイフを水平で手前に引くと養生テープが切れるように、養生テープに接する面に略円弧状の刃を設けた刃カバー部と握り部から成り、刃カバー部と握り部との間に空間を設け、ベルトコンベアのベルトに接する刃カバー部と握り部の下面とが水平になるように握り部の下面が設けられているカッターナイフを使用した請求項１記載の養生テープ貼付機。
【考案の詳細な説明】
【技術分野】
【０００１】
本考案は、円形、三角形などの各種形状の鉄板、鋼板などの製品の養生面に養生テープを貼付する装置に関するものである。
【背景技術】
【０００２】
従来、養生テープを貼付するのに、人の手でされているのが、現状である。他方、動力を使った大型の自動機でなされている企業もある。公開特許公報としては、特開２００２−３３８１３１がある。  
【考案の概要】
【考案が解決しようとする課題】
【０００３】
従来の人の手で養生テープを貼付する方法は、きれいに貼ることが困難であり、テープにしわができたり、またテープと被養生材との間に空気が入ったりして、その後のプレス加工（折り曲げ加工）等がある場合は、品質に悪い影響がでていた。さらに、特に大きいサイズの被養生材に養生テープを貼る場合、労力と時間がかかっていた。
【課題を解決するための手段】
【０００４】
本考案は、養生テープ貼付機において、本体フレームの上端にベルトコンベアを設置し、本体フレームの上端に取付けた握り部付きハンドルを回転すると、ハンドルの軸に連動するベルトコンベアのベルト車が回転して、ベルトコンベアが動きだし、ベルトコンベアに接しているゴムローラーも回転し、ベルトコンベアの上に乗せられた被養生材がゴムローラーの下まで運ばれると同時に、養生テープ巻物から出てくる養生テープがゴムローラーの下に引っ張り出され、前記被養生材の上に養生テープがゴムローラーによって圧着され、ゴムローラーがベルトコンベアと接する位置で、ベルトコンベアの上ベルトを挟んでスチールローラーが設置されており、ゴムローラーの軸を挟むように形成された固定板を本体フレームの左右上端に固定し、ゴムローラーの軸両端に吊り金具を取付け、吊り金具にコイルスプリングの上端を掛け、固定板の下部に設けた掛け金具にコイルスプリングの下端を掛け、ゴムローラーの軸両端の下部は固定板と少し離れていて、ゴムローラーはスチールローラーに支えられおり、さらに、養生テープを貼付した被養生材は先へ運ばれた後、ハンドルを止めると、ベルトコンベアが止まり、カッターナイフで養生テープを切り取り、養生テープ付被養生材が出来上がる。
カッターナイフは市販のものでもよいが、ベルトコンベアのベルトに刃が接することなく、カッターナイフを水平で手前に引くと養生テープが切れるように、刃は刃カバー部下面より少し浮かし、養生テープに接する面に略円弧状の刃を設けた刃カバー部と握り部から成り、刃カバー部と握り部との間に空間を設け、ベルトコンベアのベルトに接する刃カバー部と握り部の下面とが水平になるように握り部の下面が設けられているカッターナイフを使用する方が良い。
【考案の効果】
【０００５】
本考案の養生テープ貼付機によると、養生テープがしわになったり、被養生材と養生テープの間に空気が入ったりしないので、被養生材に養生テープが精密に密着する。また、一人で、簡単に短時間でしかも、きれいに作業ができ、移動も簡単にでき、女性の方でも楽に作業ができる。さらに、構造が簡単で、比較的安価に製作できる。
また、本考案のカッターナイフを使用すると、養生テーフを切る際、ベルトコンベアのベルトを損傷することなく、勿論手を傷つけることなく安全で、効率良く、しかも作業が早い。
【考案を実施するための最良の形態】
【０００６】
本考案は、養生テープ貼付機において、本体フレームの上端にベルトコンベアを設置し、本体フレームの上端に取付けた握り部付きハンドルを回転すると、ハンドルの軸に連動するベルトコンベアのベルト車が回転して、ベルトコンベアが動きだし、ベルトコンベアに接しているゴムローラーも回転し、ベルトコンベアの上に乗せられた被養生材がゴムローラーの下まで運ばれると同時に、養生テープ巻物から出てくる養生テープがゴムローラーの下に引っ張り出され、前記被養生材の上に養生テープがゴムローラーによって圧着される。また、ゴムローラーがベルトコンベアと接する位置で、ベルトコンベアの上ベルトを挟んでスチールローラーが設置されており、ゴムローラーの軸を挟むように形成された固定板を本体フレームの左右上端に固定し、ゴムローラーの軸両端に吊り金具を取付け、吊り金具にコイルスプリングの上端を掛け、固定板の下部に設けた掛け金具にコイルスプリングの下端を掛け、ゴムローラーの軸両端の下部は固定板と少し離れていて、ゴムローラーはスチールローラーに支えられている。さらに、養生テープを貼付した被養生材は先へ運ばれた後、ハンドルを止めると、ベルトコンベアが止まり、カッターナイフで養生テープを切り取り、養生テープ付被養生材が出来上がる。
カッターナイフは、ベルトコンベアのベルトに刃が接することなく、カッターナイフを水平で手前に引くと養生テープが切れるように、刃は刃カバー部下面より少し浮かし、養生テープに接する面に略円弧状の刃を設けた刃カバー部と握り部から成り、刃カバー部と握り部との間に空間を設け、ベルトコンベアのベルトに接する刃カバー部と握り部の下面とが水平になるように握り部の下面が設けられている。
【実施例１】
【０００７】
図１および図２は、本考案の一実施例であって、本体フレーム１の下端にはストッパー付キャスター２を設け、上端にはベルトコンベア３を設置し、ベルトコンベア３のベルト車４に連動する握り部を有するハンドル５を回すと、ベルトコンベア３が動きだす。ベルトコンベア３に接しているゴムローラー６も回転し、ベルトコンベア３の上に乗せられた被養生材Aがゴムローラー６の下まで運ばれる。一方、養生テープ巻物７から出てくる養生テープ８がゴムローラー６の下に引っ張り出され、被養生材Ａがゴムローラー６の下まで運ばれると同時に、ゴムローラー６によって養生テープ８が被養生材Aの上に圧着される。さらに、被養生材Aは先へ運ばれた後に、ハンドル５を止めると、ベルトコンベア３が止まり、カッターナイフ２０（図４で示す）で養生テープ８を切り取り、養生テープ付被養生材Bが出来上がる。
【０００８】
図１、図２および図３に示すように、ゴムローラー６がベルトコンベア３と接する位置で、ベルトコンベア３の上ベルトを挟んでスチールローラー９が設置されており。ゴムローラー６とゴムローラー６の軸との間には軸受が設けられ、ゴムローラー６の軸を挟むように形成された固定板１１を本体フレーム１の左右上端に固定する。ゴムローラー６の軸両端１０に吊り金具１５を取付け、吊り金具１５にコイルスプリング１６の上端を掛け、固定板１１の下部に設けた掛け金具１７にコイルスプリング１６の下端を掛け、ゴムローラー６の軸両端１０の下部は固定板１１と少し離れていて、ゴムローラー６はスチールローラー９に支えられている。被養生材Ａがゴムローラー６と接するときにゴムローラー６が受ける衝撃は、コイルスプリング１６が緩和する。
【０００９】
図４に示すように、カッターナイフ２０は、ベルトコンベア３のベルトに刃２１が接することなく、カッターナイフ２０を水平で手前に引くと養生テープ８が切れるように、刃２１は、刃カバー部２２の下面より少し浮かしている。養生テープ８に接する面に略円弧状の刃２１を覆った刃カバー部２２と握り部２３から成り、刃カバー部２２と握り部２３との間に空間を設け、ベルトコンベア３のベルトに接する刃カバー部２２と握り部２３の下面とが水平になるように握り部２３の下面が設けられている。刃カバー部２２と握り部２３をベルトコンベア３のベルトに接するようにして、カッターナイフ２０を手前に引くと養生テープ８を楽に、安全に切ることができる。
【００１０】
養生テープ８の幅は自由であるが、たとえば、１２５０mmであったり、５００mmであったりする。また、被養生材Aのサイズは、１０mm四方位の小物から定尺サイズの１２５０mm×２５００mmでも可能である。披養生材Ａの厚みは０．５〜６ｍｍ位まで使用することができる。  
【産業上の利用可能性】
【００１１】
被養生材に養生テープを貼り付ける機器において、一人で安全に作業ができ、しかも、短時間できれいに貼り付けることができる。そして、どのようなサイズの被養生材にも使用できる。また、本考案は、連続して作業ができ、移動も簡単にできる。さらに、本考案は、構造が簡単で、安価に製造できる。
【図面の簡単な説明】
【００１２】
【図１】本考案の一実施例の斜視図である。
【図２】本考案の一実施例の主要部分の側面図である。
【図３】本考案の一実施例のコイルスプリングの取付け状態を示す斜視図である。
【図４】本考案の一実施例のカッターナイフの正面図である。
【符号の説明】
【００１３】
１・・・・本体フレーム
３・・・・ベルトコンベア
４・・・・ベルト車
５・・・・ハンドル
６・・・・ゴムローラー
８・・・・養生テープ
１０・・・ゴムローラーの軸両端
１１・・・固定板
１５・・・吊り金具
１６・・・コイルスプリング
１７・・・掛け金具
２０・・・カッターナイフ
２１・・・刃
２２・・・刃カバー部
２３・・・握り部
【図１】
0003153060.tif 000003
【図２】
0003153060.tif 000004
【図３】
0003153060.tif 000005
【図４】
0003153060.tif 000006